(57)【要約】      （修正有）【課題】押付け部材の蓋部に対する保持を解除する解除部材が蓋部を開いた際に不用意に動くことを抑制可能なチューブ接合装置を提供する。【解決手段】チューブ接合装置は、チューブＴ１、Ｔ２の端部を溶断した後、溶断した端部を入替えて接合し、チューブを保持可能な溝部を設けた台座２１２と、溝部に対して開閉可能に構成され、開いた際に溝部を外部に露出し、閉じた際に溝部を外部から隔離する蓋部と、蓋部及び台座に各々回転可能に設けられ、蓋部を閉じた際にチューブを押圧可能な蓋側押付け部２５３及び筐体側押付け部と、蓋部を開いた際に蓋部に蓋側押付け部を保持する保持部材２２６と、蓋部を開いた際に蓋部の台座側の端面から突出する突出部２２７ｃを備え、蓋部を閉じた際に蓋側押付け部の保持を解除する解除部材２２７と、解除部材に隣接して蓋部に取付けられ、蓋部を開いた際に突出部を保護する保護部２２８ａを備えた取付部材２２８とを有する。【選択図】図８
2020116285.tif 000002
【特許請求の範囲】
【請求項１】
第１チューブの端部と第２チューブの端部を溶断した後、前記第１チューブの溶断した端部と前記第２チューブの溶断した端部を入替えて接合するチューブ接合装置であって、
前記第１チューブと前記第２チューブを保持可能な溝部を設けた台座と、
前記溝部に対して開閉可能に構成され、開いた際に前記溝部を外部に露出し、かつ閉じた際に前記溝部を前記外部から隔離する蓋部と、
前記蓋部及び前記台座に各々回転可能に設けられ、前記蓋部を閉じた際に前記第１チューブ及び前記第２チューブを押圧可能な押付け部と、
前記蓋部を開いた際に前記蓋部に蓋側押付け部を保持する保持部材と、
前記蓋部を開いた際に前記蓋部の台座側の端面から突出する突出部を備え、かつ前記蓋部を閉じた際に前記蓋側押付け部の保持を解除する解除部材と、
前記解除部材に隣接して前記蓋部に取付けられ、前記蓋部を開いた際に前記突出部を保護する保護部を備えた取付部材と、を有する、チューブ接合装置。
【請求項２】
前記蓋部は、前記解除部材を回転可能に収容する内部空間を備え、
前記台座は、
前記蓋部を閉じた際に前記突出部と当接し、前記突出部を前記内部空間に収容可能な当接面と、
前記当接面に隣接して設けられ、前記蓋部を閉じた際に前記保護部を収容可能な収容部と、を備える、請求項１に記載のチューブ接合装置。
【請求項３】
前記溝部は、前記蓋部を開いた際に前記第１チューブ及び前記第２チューブを保持可能に構成され、
前記当接面は、前記溝部よりも凹凸の数が少ない、請求項２に記載のチューブ接合装置。
【請求項４】
前記解除部材は、前記蓋部の開閉に伴って回転し、前記保持部材による前記蓋側押付け部の保持を解除する、請求項１〜３のいずれか１項に記載のチューブ接合装置。
【請求項５】
前記保持部材は、前記蓋側押付け部と係合可能な係合部を備え、
前記蓋側押付け部は前記係合部と係合可能な被係合部を備え、
前記保持部材は、前記蓋部を開いた際に前記解除部材の回転に連動して前記係合部が前記被係合部に係合することによって前記蓋側押付け部を保持し、前記蓋部を閉じた際に前記解除部材の回転に連動して前記係合部が前記被係合部から離間することによって前記蓋側押付け部の保持が解除される、請求項４に記載のチューブ接合装置。
【発明の詳細な説明】
【技術分野】
【０００１】
本発明は、チューブ接合装置に関する。
【背景技術】
【０００２】
樹脂製のチューブ同士等をつなぎ合わせる技術として、各樹脂製のチューブの端部を溶断し、溶断した端部同士を相互に押付けて加圧接合する接合方法が従来から知られている。このような技術は、様々な産業分野において広く用いられており、その一例として、腹膜透析方法等の医療技術への応用が試みられている。
【０００３】
腹膜透析方法は、患者の腹腔内に埋込んだチューブ（カテーテル）を使用して所定の透析液を体内に入れた後、腹膜を介して透析液内へ移行させた水や老廃物を体外へ取除く方法である。
【０００４】
接合対象となる一方のチューブは患者の腹腔内に埋込まれるため、接合作業時には各チューブが汚染されることのないように作業には細心の注意を払わなければならない。特許文献１には、チューブ接合装置の蓋部を開けて２本のチューブを所定の位置に設置し、蓋部を閉じた状態でボタンを押すと、２本のチューブが溶断され、その後、溶断した端部が入替えられた上で加圧接合を行う技術が開示されている。
【先行技術文献】
【特許文献】
【０００５】
【特許文献１】特開２０１３−１４６３５４号公報
【発明の概要】
【発明が解決しようとする課題】
【０００６】
上記のように特許文献１に記載された装置では、チューブの溶断後に溶断した端部同士を入替える必要がある。溶断したチューブの端部を入替えるために上記装置では蓋部と筐体とで各々チューブを押付ける部材が設けられている。これらの部材は、蓋部を開いた状態では蓋部や筐体に保持される必要がある一方で、蓋部を閉じた際には回転して上記端部の入替えができるように蓋部や筐体との保持を解除する部材を設ける必要がある。ここで、蓋部に上記解除を行う解除部材が設けられていて、使用者が当該解除部材に触ることができ、かつ使用者が上記解除部材に誤って触れてしまうと、上記押付け部材の保持に影響を与える虞がある。
【０００７】
そこで本発明は、押付け部材の蓋部に対する保持を解除する解除部材が蓋部を開いた際に不用意に動くことを抑制可能なチューブ接合装置を提供することを目的とする。
【課題を解決するための手段】
【０００８】
上記目的を達成する本発明は、第１チューブの端部と第２チューブの端部を溶断した後、前記第１チューブの溶断した端部と前記第２チューブの溶断した端部を入替えて接合するチューブ接合装置であって、前記第１チューブと前記第２チューブを保持可能な溝部を設けた台座と、前記溝部に対して開閉可能に構成され、開いた際に前記溝部を外部に露出し、かつ閉じた際に前記溝部を前記外部から隔離する蓋部と、前記蓋部及び前記台座に各々回転可能に設けられ、前記蓋部を閉じた際に前記第１チューブ及び前記第２チューブを押圧可能な押付け部と、前記蓋部を開いた際に前記蓋部に蓋側押付け部を保持する保持部材と、前記蓋部を開いた際に前記蓋部の台座側の端面から突出する突出部を備え、かつ前記蓋部を閉じた際に前記蓋側押付け部の保持を解除する解除部材と、前記解除部材に隣接して前記蓋部に取付けられ、前記蓋部を開いた際に前記突出部を保護する保護部を備えた取付部材と、を有する。
【発明の効果】
【０００９】
本発明に係るチューブ接合装置によれば、蓋部を開いた際に使用者が仮に解除部材の突出部に触れようとしても、保護部が突出部を保護する。そのため、蓋側押付け部の蓋部に対する保持を解除する解除部材が蓋部を開いた際に不用意に動くことを抑制することができる。
【図面の簡単な説明】
【００１０】
【図１】本発明の一実施形態に係るチューブ接合装置において蓋部を開いた状態を示す概略斜視図である。
【図２】チューブ接合装置の蓋部が閉じた状態を示す概略斜視図である。
【図３】チューブ接合装置の蓋部を閉じた状態において、筐体内に配置される構成部品の配置例を示す概略斜視図である。
【図４】チューブ接合装置の蓋部を開いた状態を示す概略平面図である。
【図５】図４に示すチューブ接合装置に第１チューブ及び第２チューブを配置した状態を示す概略平面図である。
【図６】チューブ接合装置の蓋部が開いた状態を示す斜視図である。
【図７】蓋部が開いたチューブ接合装置を図６と別の方向から見た斜視図である。
【図８】チューブ接合装置を構成する蓋部が開いた状態におけるクランプ部の内部を示す図である。
【図９】チューブ接合装置を構成する蓋部を閉じた状態におけるクランプ部の内部を示す図である。
【図１０】図５の１０−１０線に沿う断面図であって、蓋部が開いた状態のチューブ接合装置を示す図である。
【図１１】図５の１０−１０線に沿う断面図であって、蓋部が閉じた状態のチューブ接合装置を示す図である。
【図１２】チューブ接合装置の制御系統を示すブロック図である。
【図１３】チューブ接合装置によって、溶断−接合される第１チューブ及び第２チューブを模式的に示す図である。
【図１４】チューブ接合装置による溶断−位置交換作業の各工程を模式的に示す図である。
【図１５】チューブ接合装置による溶断−位置交換作業の各工程を模式的に示す図である。
【図１６】チューブ接合装置による溶断−位置交換作業の各工程を模式的に示す図である。
【図１７】チューブ接合装置による溶断−位置交換作業の各工程を模式的に示す図である。
【図１８】チューブ接合装置による接合−取外し作業の各工程を模式的に示す図である。
【図１９】チューブ接合装置による接合−取外し作業の各工程を模式的に示す図である。
【発明を実施するための形態】
【００１１】
以下、添付した図面を参照しながら、本発明の実施形態を説明する。図１〜図１１は、本発明の一実施形態に係るチューブ接合装置１の全体構成の説明に供する図である。図１２は、チューブ接合装置１の制御系統の説明に供する図である。図１３は、チューブ接合装置１によって接合されるチューブＴ１、Ｔ２の説明に供する図である。図１４〜図１９は、チューブ接合装置１の使用例の説明に供する図である。本明細書においてチューブＴ１は第１チューブに相当し、チューブＴ２は第２チューブに相当する。また、以下においてチューブ接合装置１における前後方向を前後方向Ｘ、左右方向を左右方向Ｙ、高さ方向を高さ方向Ｚと称する。
【００１２】
本実施形態におけるチューブ接合装置１は、図１３に示すように腹膜の透析液バッグＴ１１側のチューブＴ１の端部及び腹膜透析を行う患者（使用者Ｍ）の腹膜カテーテルＴ２６側のチューブＴ２の端部を溶断して接合する医療装置として構成している。
【００１３】
チューブ接合セットＳは、図１に示すように、チューブＴ１、Ｔ２を溶断−接合可能なチューブ接合装置１と、溶断に用いられる複数枚のウェハーＷＦを備えるカセットＷＣと、を有している。チューブＴ１、Ｔ２の溶断作業では、図１４〜図１６に示すように、並置されているチューブＴ１、Ｔ２を互いに押付けて潰した状態で、チューブＴ１、Ｔ２は加熱したウェハーＷＦによって溶断される。その後、図１７、１８に示すように、溶断したチューブＴ１の片側とチューブＴ２の片側との位置が入替えられ、チューブＴ１、Ｔ２が加圧して接合される。詳細は後述する。
【００１４】
チューブ接合装置１は、図１を参照して概説すれば、チューブ接合装置１の各部を収納する筐体１０と、溶断に際してチューブＴ１、Ｔ２の押潰しと、溶断後のチューブＴ１の片側とチューブＴ２の片側の入替えを行うクランプ部２０と、を有する。チューブ接合装置１は、図１２に示すように溶断−接合の際にチューブＴ１、Ｔ２をクランプ部２０によって挟込んだ状態にロックするインターロック３０と、図３に示すように筐体１０に挿入されたカセットＷＣを収納する収納部４０と、を有する。
【００１５】
チューブ接合装置１は、図１２に示すようにウェハーＷＦを加熱して溶断位置へ送り出す送り部５０と、電源のＯｎ−ＯＦＦの切替えの指示等を受付可能な操作部６０と、使用者Ｍに必要な情報を報知する報知部７０と、を備える。チューブ接合装置１は、各部に電力を供給可能な供給部８０と、各部の動作を統括的に制御する制御部９０と、を有する。
【００１６】
なお、図４及び５に示すように、チューブＴ１、Ｔ２が延在する左右方向Ｙにおいて、チューブＴ１、Ｔ２の溶断位置Ｘ０を境界として、溶断後に位置が入替わる側を「入替側Ｘ１」、その反対側を「固定側Ｘ２」と称する。以下、詳述する。
【００１７】
筐体１０は、図１、２に示すように、略六面体の上側面にあたる上部分１１と、上部分１１の下方に配置され略六面体の上側面以外の側面を構成する下部分１２と、を組合わせたケースによって構成している。上部分１１は、後方から前方に向かって傾斜するように形成している。
【００１８】
上部分１１は、図４に示すように傾斜面１１ｇ、１１ｈと凹部１１ｊと、凸部１１ｋと、を備える。傾斜面１１ｇ、１１ｈは、上部分１１において後端側の方が前端側よりも高くなるように傾斜している。傾斜面１１ｈは、凹部１１ｊを挟んで傾斜面１１ｇよりも前端側に配置されている。傾斜面１１ｇ、１１ｈは、略同一面となるように構成しているが、これに限定されない。
【００１９】
凹部１１ｊは、図４に示すように傾斜面１１ｇ、１１ｈに隣接して設けられる。凹部１１ｊは、傾斜面１１ｇと傾斜面１１ｈとを直線的に接続した仮想上の面よりも高さ方向Ｚにおいて凹むように形成している。凹部１１ｊには、図５に示すようにチューブＴ１のコネクタＴ１２やチューブＴ２の一部を配置することができる。
【００２０】
凸部１１ｋは、凹部１１ｊよりも高さ方向Ｚにおいて突出して設けられる。凸部１１ｋには、図５に示すようにチューブＴ１の一部を配置することができる。図４等に示すように上部分１１の上面の前端側には接合の進捗状況を表示する表示部７１が設けられている。また、上部分１１の前端側にはクランプ部２０にセットされるチューブＴ１、Ｔ２の配置を指示するイラスト等を付すことができる。これにより、チューブＴ１、Ｔ２の配置位置を取違えることなく、適正な位置に各チューブＴ１、Ｔ２をセットすることができる。
【００２１】
上部分１１の後端側には、図４等に示すように後述する報知部７０の備える表示部７２が設けられている。また、上部分１１の上面には、図１に示すように、クランプ部２０を嵌込み可能な孔１１ｒが設けられている。また、上部分１１の側面には、カセットＷＣを挿入するための挿入孔１１ｃと、筐体１０内に挿入されたカセットＷＣを取出すためのスイッチ１１ｄと、が設けられている。カセットＷＣを挿入孔１１ｃから挿入した状態で、使用者Ｍが指でスイッチ１１ｄを押込めば、カセットＷＣは、挿入孔１１ｃを通じて筐体１０の外部に取出すことができる。また、上部分１１には、図３に示すように、筐体１０の周囲の環境温度を計測可能なセンサ１１ｅが内蔵されている。センサ１１ｅの計測した環境温度に応じて、ウェハーＷＦがチューブＴ１、Ｔ２を加熱する加熱時間を調整することができる。
【００２２】
下部分１２は、図１０に示すように、平坦な底面１２ａと、下部分１２においてテーブル等の載置場所と当接する脚部１２ｂと、を備える。
【００２３】
クランプ部２０は、チューブＴ１、Ｔ２を並置した状態で保持し、溶断に際してチューブＴ１、Ｔ２を互いに押付け、溶断後にチューブＴ１の片側とチューブＴ２の片側との位置を入替え、チューブＴ１、Ｔ２の一方を左右方向Ｙにおいて他方に押付ける。
【００２４】
クランプ部２０は、図６に示すように、筐体１０の底面１２ａに固定される上部分１１から突出している台座２１と、台座２１に対して相対的に接近−離反することによって開閉可能に構成された蓋部２２と、を備える。クランプ部２０は、台座２１に設けられるとともに、チューブＴ１、Ｔ２を保持する保持部２３と、チューブＴ１、Ｔ２がセットされているか否かを検出可能なセンサ２４と、を備える。クランプ部２０は、図６、１２に示すように蓋部２２が台座２１に相対的に接近する動作に伴ってチューブＴ１、Ｔ２を互いに押付けて潰す押付け部２５と、蓋部２２の開閉を検出するセンサ２６と、を備える。
【００２５】
台座２１は、図５及び図６に示すようにチューブＴ１、Ｔ２の固定側Ｘ２に設けられる第１台座２１１と、チューブＴ１、Ｔ２の入替側Ｘ１に設けられる第２台座２１２と、を備えている。第１台座２１１と第２台座２１２との間には、チューブＴ１、Ｔ２の延在方向に沿って隙間２１ａが設けられている。隙間２１ａは、使用前のウェハーＷＦが溶断位置に移動する際や、使用済みのウェハーＷＦを筐体１０の外部に送り出す際等に、ウェハーＷＦが通過するため等に設けられる。
【００２６】
第２台座２１２は、図７に示すように当接面２１２ａと、収容部２１２ｂと、を備える。当接面２１２ａは、図９に示すように蓋部２２を閉じた際に解除部材２２７の突出部２２７ｃと当接し、解除部材２２７の突出部２２７ｃを収容可能に構成している。収容部２１２ｂは、当接面２１２ａに隣接して設けられ、蓋部２２を閉じた際に取付部材２２８の保護部２２８ａを収容可能に構成している。第１台座２１１の上面２１１ａ及び第２台座２１２の当接面２１２ａは、表面に設ける凹凸の数を少なくなるようにしている。具体的には、保持部２３の溝部２３２ａ、２３２ｂが形成する凹凸の数よりも凹凸が少なくなるように構成している。これにより、使用者ＭがチューブＴ１、Ｔ２を誤って別の場所に取付けることを防止し、組付け作業性を向上させることができる。第１台座２１１と第２台座２１２との間には、チューブＴ１、Ｔ２の延在方向に沿って隙間２１ａが設けられている。隙間２１ａは、使用前のウェハーＷＦが溶断位置に移動する際や、使用済みのウェハーＷＦを筐体１０の外部に送出す際等に、ウェハーＷＦが通過するため等に設けられる。
【００２７】
また、第１台座２１１及び第２台座２１２のそれぞれには、後述する蓋部２２の係合爪２２５を引掛けて固定するための被係合部２１３が設けられている。
【００２８】
蓋部２２は、後述する溝部２３１ａ、２３１ｂ、２３２ａ、２３２ｂに対して開閉可能に構成される。蓋部２２は、開いた際に溝部２３１ａ、２３１ｂ、２３２ａ、２３２ｂを外部に露出し、閉じた際に溝部２３１ａ、２３１ｂ、２３２ａ、２３２ｂを外部から隔離する。
【００２９】
蓋部２２は、第１台座２１１に対して回動可能に設けられた第１アーム２２１と、第２台座２１２に対して回動可能に設けられた第２アーム２２２と、を備える。蓋部２２は、第１アーム２２１及び第２アーム２２２を覆うカバー２２３と、第１アーム２２１及び第２アーム２２２に対して回動可能に設けられるとともに使用者Ｍが把持可能な把持部２２４と、を備えている。蓋部２２は、さらに図７〜９に示すように保持部材２２６と、解除部材２２７と、取付部材２２８と、を備える。
【００３０】
第１アーム２２１及び第２アーム２２２は、回動可能に構成している。
【００３１】
カバー２２３は、第１アーム２２１及び第２アーム２２２を一体的に覆う。このため、図２に示すように、蓋部２２を閉じた状態では、カバー２２３は、第１台座２１１、第２台座２１２及びその間の溶断−接合が行われる領域を覆う。カバー２２３は、図８、９に示すように解除部材２２７を回転可能に収容する内部空間２２３ｃを備える。カバー２２３は、図６に示すようにカバー２２３の回転軸の根元側に設けられる第１部材２２３ａと、第１部材よりも回転軸に対して先端側に設けられ、蓋部２２の開状態で第１部材２２３ａの内部に収容可能な第２部材２２３ｂと、を備える。第２部材２２３ｂは、第１部材２２３ａに対してスライド移動可能に構成している。ただし、蓋部２２の閉状態で溶断−接合が行われる領域を覆うことができれば、カバーの構成は上記に限定されない。カバーは上記以外に一の部材から構成してもよい。
【００３２】
把持部２２４は、図６に示すように、台座２１の被係合部２１３に係合可能な係合爪２２５を備えている。このため、図１０及び図１１に示すように、第１アーム２２１、第２アーム２２２及びカバー２２３を閉じた後に、把持部２２４を第１アーム２２１及び第２アーム２２２に対して回転させれば、係合爪２２５は被係合部２１３に係合する。これにより、クランプ部２０が各チューブＴ１、Ｔ２を挟込んだ状態を好適に維持することができる。
【００３３】
保持部材２２６は、蓋部２２を開いた際に押付け部２５を構成する蓋側押付け部２５３が蓋部２２から脱落しないように保持する。保持部材２２６は、図８、９に示すように係合部２２６ａを備える。係合部２２６ａは、押付け部２５の蓋側押付け部２５３の被係合部２５３ａに係合できるように構成している。これにより、保持部材２２６は、蓋部２２を開いた際に解除部材２２７の回転に連動して係合部２２６ａが被係合部２５３ａに係合することによって蓋側押付け部２５３を保持する。蓋部２２を閉じた際には、解除部材２２７の回転に連動して係合部２２６ａが被係合部２５３ａから離間することによって蓋部２２の保持が解除される。上記のような保持部材２２６の動作によって、カバー２２３が開いた際に誤って蓋側押付け部２５３が蓋部２２から脱落することを防止できる。
【００３４】
解除部材２２７は、蓋部２２を閉じた際に蓋側押付け部２５３の保持を解除する。解除部材２２７は、図８、９に示すように回転軸２２７ａと、長穴２２７ｂと、突出部２２７ｃと、を備える。
【００３５】
回転軸２２７ａは、蓋部２２を構成するカバー２２３の内部空間２２３ｃに設けられる。これにより、解除部材２２７は蓋部２２を開閉する際にカバー２２３の内部空間２２３ｃで回転可能に構成される。長穴２２７ｂには、カバー２２３に固定して取付けられる挿通部材２２９を挿通させることができ、挿通部材２２９は、保持部材２２６に取付けられる。これにより、解除部材２２７は、蓋部２２の開閉に伴って回転し、保持部材２２６による蓋側押付け部２５３の保持を解除する。また、解除部材２２７に長穴２２７ｂが設けられることによって、解除部材２２７の回転範囲が制限される。
【００３６】
突出部２２７ｃは、蓋部２２が開いた際に蓋部２２を構成するカバー２２３の台座２１側の端面より突出する。
【００３７】
取付部材２２８は、図７に示すように左右方向Ｙにおいて解除部材２２７に隣接して蓋部２２に取付けられる。取付部材２２８は、保護部２２８ａを備える。
【００３８】
保護部２２８ａは、蓋部２２を開いた際に突出部２２７ｃを保護する。ここで「突出部２２７ｃを保護する」とは、後述する蓋側押付け部２５３の蓋部２２からの脱落につながるような突出部２２７ｃへの使用者の手指等の接触を防止又は抑制することを意味する。保護部２２８ａは、本実施形態において左右方向Ｙにおいて突出部２２７ｃの片側に隣接して配置している。保護部２２８ａは、左右方向Ｙから側面視した際に解除部材２２７の突出部２２７ｃと相似の形状に構成している。これにより、仮にチューブ接合の際に誤って解除部材２２７に触れそうになっても、左右方向Ｙにおいて少なくとも解除部材２２７の特定の方向から使用者Ｍの手指等が解除部材２２７に触れることを抑制できる。
【００３９】
保持部２３は、図５及び図６に示すように、各チューブＴ１、Ｔ２の固定側Ｘ２を固定的に保持する第１保持部２３１と、各チューブＴ１、Ｔ２の入替側Ｘ１を可動的に保持する第２保持部２３２と、を備える。保持部２３は、第２保持部２３２を各チューブＴ１、Ｔ２を保持した保持状態から保持を解除した解除状態へ切替え可能な解除部２３３と、第２保持部２３２を解除状態から保持状態へ切替え可能な復元部２３４と、を備える。
【００４０】
第１保持部２３１は、第１台座２１１の上面に固定されている。第１保持部２３１は、図６に示すようにチューブＴ１を嵌込み可能な凹状の溝部２３１ａと、チューブＴ２を嵌込み可能な凹状の溝部２３１ｂと、を備えている。
【００４１】
溝部２３１ａ、２３１ｂは、図１０に示すように、筐体１０の載置面ＦＳに対して角度θ傾いた方向（斜め方向）に並ぶように設けられている。このため、チューブＴ１、Ｔ２は、蓋部２２を開いた際に保持部２３において載置面ＦＳに対して傾斜して並んだ状態で第１保持部２３１に保持される。なお、チューブＴ１、Ｔ２の並ぶ方向Ｄ１の奥側に配置される溝部２３１ａは、溝部２３１ｂよりも筐体１０の高さ方向Ｚにおいて高い位置に配置されている。
【００４２】
また、各溝部２３１ａ、２３１ｂは、第１保持部２３１の上面側において、斜め方向Ｄ１と略直交する方向（図１１の方向Ｄ２参照）に沿って凹状に窪むように設けられている。このため、チューブＴ１、Ｔ２は、チューブＴ１、Ｔ２の並ぶ方向Ｄ１と直交する方向Ｄ２から挿入するようにセットされる。これにより、使用者Ｍは、蓋部２２を開いた状態において各チューブＴ１、Ｔ２を容易にセットすることができる。
【００４３】
第２保持部２３２は、図６に示すように左右方向Ｙに略平行な回転軸２３２ｃを回転中心として第２台座２１２の側面に回動可能に取付けられている。第２保持部２３２は、蓋部２２を開いた際に第１保持部２３１と同じ高さ及び傾きに配置された溝部２３２ａ、２３２ｂを備える。溝部２３２ａ、２３２ｂは、蓋部２２を開いた際に第１保持部２３１とともにチューブＴ１、Ｔ２を保持するように構成している。第２保持部２３２は、蓋部２２を閉じた状態において回転軸２３２ｃを回転中心として高さ方向Ｚにおける下方に変位し、溝部２３２ａ、２３２ｂがチューブＴ１，Ｔ２から離間した状態となる。
【００４４】
解除部２３３は、図６に示すように蓋部２２を開いた状態において第２保持部２３２の基部から第２アーム２２２の平坦面（図６の高さ方向Ｚ）に向かって突出する突起を備えている。
【００４５】
解除部２３３の突起は、蓋部２２が筐体１０に相対的に接近する動作に伴って、蓋部２２に設けられた第２アーム２２２の平坦面に当接する。解除部２３３の突起は、蓋部２２が筐体１０に相対的に接近する動作に伴って、第２保持部２３２を保持位置から解除位置に退避させるように構成している。本明細書において解除状態とは、蓋部２２が閉じた状態においてチューブＴ１、Ｔ２が第２保持部２３２の溝部２３２ａ、２３２ｂに配置されていない状態を意味する。
【００４６】
復元部２３４は、図６において破線にて示すように、蓋部２２の第２アーム２２２が筐体１０に相対的に離反する動作と連動して第２保持部２３２を押上げ可能なカムを備えている。復元部２３４は、第２保持部２３２と当接可能に構成している。
【００４７】
復元部２３４のカムは、筐体１０の左右方向Ｙからの矢視において略扇形の外形形状を備えている。復元部２３４のカムは、第２アーム２２２の回動部付近に固定されている。このため、復元部２３４のカムは、第２アーム２２２の回動に連動して回動する。このように、第２保持部２３２は、解除部２３３と復元部２３４によって保持位置と解除位置との間で移動可能に構成している。
【００４８】
さらに本実施形態では、解除部２３３は、後述する押付け部２５がチューブＴ１、Ｔ２を挟込んだ後に、第２保持部２３２を保持位置から解除位置へ退避させる。このため、押付け部２５は、チューブＴ１、Ｔ２の入替側Ｘ１が第２保持部２３２によって適切な位置に保持されている状態で、チューブＴ１、Ｔ２を挟込むことができる。
【００４９】
センサ２４は、図６に示すように溝部２３１ａ、２３１ｂに設けられ、溝部２３１ａ、２３１ｂからの突出及び陥没が可能に構成されたピンと、ピンの根元部分に設けられた磁石（図示省略）と、ホール素子（図示省略）と、を備える。ピンは弾性部材（図示省略）によって、溝部２３１ａ、２３１ｂの底部から突出及び陥没を可能に構成している。ピンは、チューブＴ１、Ｔ２が溝部２３１ａ、２３１ｂの底部から突出及び陥没を可能に構成している。ピンは、チューブＴ１、Ｔ２が溝部２３１ａ、２３１ｂに嵌込まれることによって突出位置から陥没位置に位置を変える。磁石は、ピンの溝部２３１ａ、２３１ｂからの突出又は陥没に合わせて移動する一方で、ホール素子は溝部２３１ａ、２３１ｂの底部において磁石に隣接して配置している。センサ２４は、ホール素子が検出する磁石の磁力の大きさがピンの位置に応じて変化することによって、チューブＴ１、Ｔ２が溝部２３１ａ、２３１ｂに配置されたか否かを検出する。ただし、溝部２３１ａ、２３１ｂにチューブＴ１、Ｔ２が配置されたことを検出できれば、具体的な構成は上記に限定されない。
【００５０】
押付け部２５は、図６に示すように固定側押付け部２５ａと、可動側押付け部２５ｂと、を備える。
【００５１】
固定側押付け部２５ａは、図１０、１１に示すようにチューブＴ１、Ｔ２の固定側Ｘ２において蓋部２２を閉じた際にチューブＴ１、Ｔ２の並ぶ方向Ｄ１にチューブＴ１、Ｔ２を接近させ、互いに当接したチューブＴ１、Ｔ２に押圧力を付与する。固定側押付け部２５ａは、図６及び図１６に示すように第１アーム２２１に設けられる蓋側押付け部２５１と、第１台座２１１に設けられる筐体側押付け部２５２と、を備える。
【００５２】
可動側押付け部２５ｂは、図１１に示すようにチューブＴ１，Ｔ２の入替側Ｘ１において蓋部２２を閉じた際に固定側押付け部２５ａと同様にチューブＴ１、Ｔ２の並ぶ方向Ｄ１にチューブＴ１、Ｔ２を接近させ、互いに当接したチューブＴ１、Ｔ２を押圧する。可動側押付け部２５ｂは、図６及び図１６に示すように第２アーム２２２に設けられる蓋側押付け部２５３と、第２台座２１２に設けられる筐体側押付け部２５４と、を備える。蓋側押付け部２５３は、蓋部２２に回転可能に設けられ、筐体側押付け部２５４は筐体１０に回転可能に設けられる。蓋側押付け部２５３及び筐体側押付け部２５４は蓋部２２を閉じた際にチューブＴ１、Ｔ２に押圧力を付与できるように構成している。蓋側押付け部２５３は、図８、９に示すように保持部材２２６の係合部２２６ａと係合可能な被係合部２５３ａを備える。
【００５３】
また、可動側押付け部２５ｂは、モータやギヤ等の構成（図示省略）によって、図１７に示すように、溶断されたチューブＴ１、Ｔ２の可動側の端部を固定側に対して入替える。また、可動側押付け部２５ｂは、固定側に対して端部を入替えた可動側のチューブＴ１、Ｔ２を左右方向Ｙにおいて固定側のチューブＴ１、Ｔ２に押付ける。可動側押付け部２５ｂは、回転可能に構成されたカム（図示省略）と、左右方向Ｙにおいて当該カムに当接可能な当接部材（図示省略）と、を備える。可動側押付け部２５ｂは、カムにおいて当接部材との左右方向Ｙにおける接触位置がカムの回転に応じて異なることによって、入替側Ｘ１のチューブＴ１、Ｔ２の端部を固定側Ｘ２のチューブＴ１、Ｔ２の端部に押付ける。
【００５４】
センサ２６は、台座２１に対して蓋部２２が閉じたことを検出する。センサ２６は、台座２１に対して蓋部２２が閉じたことを検出してチューブ接合動作を開始できれば、具体的な構成は特に限定されない。一例として、本実施形態では、被係合部２１３の付近にリミットスイッチ等のセンサを設け、係合爪２２５が被係合部２１３に係合した際に上記センサが押込まれることによって、蓋部２２が閉じたことを検出している。
【００５５】
インターロック３０は、溶断−接合の際に、クランプ部２０がチューブＴ１、Ｔ２を挟込んだ状態にロックする機能を備えている。インターロック３０は、本実施形態において図１１に示すように電磁駆動式のソレノイドのロッド３１により構成している。
【００５６】
収納部４０は、図３に示す箇所に位置しており、筐体１０に挿入されたカセットＷＣを収納する機能、及びカセットＷＣ内のウェハーＷＦの残量を検出する機能を備えている。収納部４０は、挿入孔１１ｃから挿入されたカセットＷＣが装着される装着部と、カセットＷＣ内のウェハーＷＦの残量を検出可能なウェハーセンサと、を備えている（図示省略）。ウェハーセンサは、例えば、公知のフォトセンサによって構成することができる。
【００５７】
送り部５０は、図３に示す箇所に位置しており、ウェハーＷＦを溶断位置まで送り出し、溶断に際してウェハーＷＦを加熱し、使用後のウェハーＷＦを冷却し、使用後のウェハーＷＦを筐体１０の外部へ送り出す。
【００５８】
送り部５０は、ウェハーＷＦを収納部４０内のカセットＷＣから溶断位置まで送り出し可能に構成している。送り部５０は、使用後のウェハーＷＦを第１台座２１１と第２台座１２１の間の隙間２１ａを介して筐体１０の外部へ送り出し可能な駆動部を備える。送り部５０は、溶断に際してウェハーＷＦを加熱可能なヒータと、使用済みのウェハーＷＦを冷却可能なファンと、を備えている（図示省略）。
【００５９】
操作部６０は、使用者Ｍからチューブ接合装置１への指示を受付ける。操作部６０は、チューブ接合装置１の電源のＯＮ／ＯＦＦを切替えるスイッチ等を含む。操作部６０は、本実施形態において図２に示すように筐体１０の上部分１１の後端側に設けているが、具体的な位置はこれに限定されない。
【００６０】
報知部７０は、使用者Ｍに必要な情報を報知する。報知部７０は、図１、３に示すように、使用者Ｍに必要な情報を表示する表示部７１、７２と、音声によって使用者Ｍに必要な情報を報知するスピーカ７３と、を備えている。
【００６１】
供給部８０は、チューブ接合装置１の各部に電力を供給する機能を備えている。供給部８０は、図１に示すように、各部に電力を供給可能なバッテリ８１と、バッテリ８１を充電するための充電器８２と、を備えている。
【００６２】
制御部９０は、チューブ接合装置１の各部を統括的に制御する。制御部９０は、マイクロコンピュータなどのＣＰＵと、ＣＰＵにより実行される装置全体の制御プログラムや各種データを記憶するＲＯＭと、ワークエリアとして測定データや各種データを一時的に記憶するＲＡＭとを備えている。
【００６３】
制御部９０は、図１２に示すように、供給部８０に電気的に接続されており、供給部８０から電力供給を受けている。また、制御部９０は、操作部６０に電気的に接続されており、使用者Ｍからの指示に応じて各部の動作を制御可能に構成している。また、制御部９０は、報知部７０に電気的に接続されており、使用者Ｍに必要な情報を報知可能に構成している。
【００６４】
また、制御部９０は、センサ２４、２６と、収納部４０のウェハーセンサと、インターロック３０と、センサ１１ｅと、に電気的に接続されている。制御部９０は、センサ２４によってチューブＴ１、Ｔ２のセットを検出し、センサ２６によって蓋部２２の閉状態を検出し、ウェハーセンサによってウェハーがカセットＷＣに一以上ある場合にウェハーＷＦによる溶断作業を開始する制御を行う。なお、ウェハーＷＦによる溶断作業の開始は上記条件を充たす場合に限定されず、使用者がボタンを押下すること等によって溶断作業を開始してもよい。
【００６５】
制御部９０は、センサ２４からチューブＴ１、Ｔ２が適正にセットされていない情報を得た場合、報知部７０を介してその旨を報知させる。また、制御部９０は、センサ２６によって蓋部２２が適切に閉じられていない情報を得た場合、報知部７０にその旨を報知させる。制御部９０は、カセットＷＣに使用可能なウェハーＷＦが収容されていない場合、報知部７０にその旨を報知させる。制御部９０は、インターロック３０によって溶断−接合中に蓋部２２を閉じた状態を維持させる。また、制御部９０は、センサ１１ｅが計測した筐体１０の環境温度に基づいて、溶断の際のウェハーＷＦによるチューブＴ１、Ｔ２の加熱時間を調整する。
【００６６】
また、制御部９０は、収納部４０及び送り部５０に電気的に接続されており、これらの動作を制御可能に構成している。また、制御部９０は、可動側押付け部２５ｂのモータ（図示省略）に電気的に接続されており、可動側押付け部２５ｂの位置交換作業を制御する。
【００６７】
カセットＷＣは、図１に示すように、複数枚のウェハーＷＦを収納している。カセットＷＣは、チューブ接合装置１の挿入孔１１ｃを介して出入れされる。使用されたウェハーＷＦは、図４に示すように、第１台座２１１と第２台座２１２の間の隙間２１ａから筐体１０の外部へ取出される。チューブＴ１は、本実施形態では腹膜の透析液バッグＴ１１側のチューブによって構成している（図１３参照）。具体的には、チューブＴ１の先端部には所定のコネクタＴ１２を取付けている。チューブＴ１の反対側は、分岐管Ｔ１３を介して、透析液バッグＴ１１の透析液チューブＴ１４に接続している。さらにチューブＴ１は、分岐管Ｔ１３を介して、排液用バッグＴ１５の排液チューブＴ１６に接続している。
【００６８】
チューブＴ２は、腹膜透析をする際に使用される使用者Ｍの腹膜カテーテルＴ２６側のチューブによって構成している。具体的には、チューブＴ２は、延長チューブＴ２１と保護チューブＴ２２を備えている。延長チューブＴ２１は、連結管Ｔ２３、シリコーンチューブＴ２４、カテーテルジョイントＴ２５を介して、腹膜カテーテルＴ２６に接続している。腹膜カテーテルＴ２６は、その一方の端部側が使用者Ｍの腹腔内に挿入されている。なお、チューブＴ１、Ｔ２は、本実施形態では、塩化ビニル製のチューブによって構成している。ただし、チューブＴ１、Ｔ２の材質は、溶断及び加圧により相互に接合可能なものであればよく、その限りにおいて限定されない。例えば、チューブＴ１、Ｔ２の材質がそれぞれ異なるものであってもよい。
【００６９】
次に、チューブ接合セットＳの使用例について説明する。まず、使用者Ｍは、チューブ接合装置１を使用するに際し、カセットＷＣをチューブ接合装置１の挿入孔１１ｃに挿入する。次に、使用者Ｍは、操作部６０のボタンを押して、チューブ接合装置１の電源をＯＮにする。
【００７０】
次に、使用者Ｍは、図１に示すように、チューブ接合装置１の蓋部２２を開いた状態にする。次に、使用者Ｍは、図１０、１１、１４、１５に示すように、チューブＴ１、Ｔ２を保持部２３の溝部２３１ａ、２３１ｂ、２３２ａ、２３２ｂにセットする。次に、使用者Ｍは、蓋部２２を閉じる操作を行う。蓋部２２が閉じられたことにより、チューブＴ１、Ｔ２の溶断部位の外周部分はカバー２２３によって覆われ、外部から隔離された状態となる。これにより、溶断−接合作業を無菌状態で実施することが可能となる。
【００７１】
次に、制御部９０は、送り部５０にウェハーカセットＷＣからウェハーＷＦを取り出させ、溶断準備位置（図１６のウェハーＷＦが破線で示されている位置）に送り出させる。制御部９０は、カセットＷＣにおける溶断に使用可能なウェハーＷＦの残存、保持部２３へのチューブセット、及び蓋部２２の閉状態の条件が充たされた際に、溶断作業の制御を開始する。
【００７２】
まず、制御部９０は、インターロック３０を作動させ、蓋部２２を閉じた状態にロックさせる。
【００７３】
そして、溶断準備位置のウェハーＷＦを、内蔵したヒーターによって加熱させる。そして、送り部５０によって加熱したウェハーＷＦを溶断位置（図１６のウェハーＷＦが実線で示されている位置）まで移動させ、図１６に示すように溶断を行わせる。
【００７４】
次に、制御部９０は、図１７に示すように可動側押付け部２５ｂによってチューブＴ１の入替側Ｘ１とチューブＴ２の入替側Ｘ１の位置を入替えさせる。その後、制御部９０は、図１８に示すように、可動側押付け部２５ｂによって入替えたチューブＴ１、Ｔ２の固定側と可動側を押付けて、加圧接合を行わせる。
【００７５】
次に、制御部９０はインターロック３０のロックを解除させる。次に、使用者Ｍは、蓋部２２を開く作業を行い、図１９に示すように各チューブＴ１、Ｔ２をチューブ接合装置１から取外す。
【００７６】
以上説明したように、チューブ接合装置１は、チューブＴ１の端部とチューブＴ２の端部を溶断した後、チューブＴ１の溶断した端部とチューブＴ２の溶断した端部を入替えて接合する。チューブ接合装置１は、台座２１と、蓋部２２と、蓋側押付け部２５３及び筐体側押付け部２５４と、保持部材２２６と、解除部材２２７と、取付部材２２８と、を有する。台座２１は、チューブＴ１，Ｔ２を保持可能な溝部２３１ａ、２３１ｂ、２３２ａ、２３２ｂを設けている。蓋部２２は、溝部２３１ａ、２３１ｂ、２３２ａ、２３２ｂに対して開閉可能に構成され、開いた際に溝部２３１ａ、２３１ｂ、２３２ａ、２３２ｂを外部に露出し、かつ閉じた際に溝部２３１ａ、２３１ｂ、２３２ａ、２３２ｂを外部から隔離する。蓋側押付け部２５３は、蓋部２２に回転可能に設けられ、筐体側押付け部２５４は台座２１に回転可能に設けられる。蓋側押付け部２５３及び筐体側押付け部２５４は蓋部２２を閉じた際にチューブＴ１、Ｔ２を押圧可能に構成している。保持部材２２６は、蓋部２２を開いた際に蓋部２２に蓋側押付け部２５３を保持する。解除部材２２７は、蓋部２２を開いた際に蓋部２２の台座２１側の端面から突出する突出部２２７ｃを備える。解除部材２２７は、蓋部２２を閉じた際に蓋側押付け部２５３の保持を解除する。取付部材２２８は、解除部材２２７に隣接して取付けられ、蓋部２２を開いた際に突出部２２７ｃを保護する保護部２２８ａを備える。
【００７７】
これにより、蓋部２２を開いた際に使用者Ｍが仮に解除部材２２７の突出部２２７ｃに触れようとしても保護部２２８ａが突出部２２７ｃを保護する。そのため、蓋側押付け部２５３の蓋部２２に対する保持を解除する解除部材２２７が蓋部２２を開いた際に不用意に動くことを抑制し、利便性を向上させることができる。
【００７８】
また、蓋部２２は解除部材２２７を回転可能に収容する内部空間２２３ｃを備える。台座２１は、蓋部２２を閉じた際に突出部２２７ｃと当接し、突出部２２７ｃを内部空間２２３ｃに収容可能な当接面２１２ａと、当接面２１２ａに隣接して設けられ、蓋部２２を閉じた際に保護部２２８ａを収容可能な収容部２１２ｂと、を備える。これにより、蓋部２２を閉じた際には当接面２１２ａによって解除部材２２７の突出部２２７ｃの位置を変えることができる。そのため、蓋側押付け部２５３の保持を解除して、溶断した入替側Ｘ１と固定側Ｘ２のチューブＴ１、Ｔ２の端部を入替えることができる。
【００７９】
また、溝部２３１ａ、２３１ｂ、２３２ａ、２３２ｂは、蓋部２２が開いた際にチューブＴ１、Ｔ２を保持可能に構成している。当接面２１２ａは、溝部２３１ａ、２３１ｂ、２３２ａ、２３２ｂよりも凹凸の数が少なくなるように構成している。これにより、使用者Ｍが溝部２３１ａ、２３１ｂ、２３２ａ、２３２ｂと異なる部位に誤ってチューブＴ１、Ｔ２を組付けることを防止又は抑制し、組付け作業性を向上させることができる。
【００８０】
また、解除部材２２７は、蓋部２２の開閉に伴って回転し、保持部材２２６による蓋側押付け部２５３の保持を解除する。そのため、蓋部２２を閉じた際に解除部材２２７の動作に連動して保持部材２２６を蓋側押付け部２５３の保持を行わない位置に移動でき、解除部材２２７とともに蓋側押付け部２５３の保持を解除することができる。
【００８１】
また、保持部材２２６は、蓋側押付け部２５３と係合可能な係合部２２６ａを備え、蓋側押付け部２５３は係合部２２６ａと係合可能な被係合部２５３ａを備える。保持部材２２６は、蓋部２２を開いた際に解除部材２２７の回転に連動して係合部２２６ａが被係合部２５３ａに係合することによって、蓋側押付け部２５３を保持する。保持部材２２６は、蓋部２２を閉じた際に解除部材２２７の回転に連動して係合部２２６ａが被係合部２５３ａから離間することによって蓋側押付け部２５３の保持が解除される。これにより、保持部材２２６と解除部材２２７の動作によって、蓋部２２を開いた際に蓋側押付け部２５３が蓋部２２から脱落することを防止するとともに、チューブＴ１、Ｔ２の入替えを行うことができる。
【００８２】
なお、本発明は上述した実施形態にのみ限定されず、特許請求の範囲において種々の変更が可能である。上記では第２台座２１２に取付部材２２８の保護部２２８ａが収容される実施形態について説明したが、これに限定されない。上記以外にも取付部材の位置によっては第１台座に収容部が設けられていてもよい。また、第２台座２１２は、収容部２１２ｂを備えると説明したが、これに限定されない。第１台座２１１を含め、チューブＴ１、Ｔ２の誤組付けを防止できれば、収容部２１２ｂ以外の凹凸形状が台座に設けられていてもよい。また、台座２１は第１台座２１１及び第２台座２１２の構成に限定されず、一つ又は２つ以外の台座によって構成してもよい。また、取付部材２２８の保護部２２８ａは解除部材２２７の突出部２２７ｃと相似の形状であると説明したが、これに限定されない。使用者Ｍの手指等が誤って突出部２２７ｃに触れにくくできれば、保護部２２８ａよりも多くの方向から突出部２２７ｃの面を包囲する保護部を設けてもよい。
【００８３】
また、本願発明は、腹膜透析のみならず、例えば輸血に用いる血液製剤等を収容する容器（バッグ）に接続されたチューブと他のチューブとを無菌的に接合する装置にも用いることができる。この場合、チューブ及びバッグ内の血液成分（製剤）等の無菌性を保持することができる。
【００８４】
また、本願発明は、採取・培養した各種細胞を含む細胞培養液を収容する容器（バッグ）に接続されたチューブと他のチューブとを無菌的に接合する装置にも用いることができる。この場合も、チューブ接合時にチューブ及びバッグ内の細胞培養液の無菌性・安全性を保持することができる。
【符号の説明】
【００８５】
１  チューブ接合装置、
２１  台座、
２１２  第２台座、
２１２ａ  収容部、
２１２ｂ  当接面、
２２  蓋部、
２２３ｃ  内部空間、
２２６  保持部材、
２２６ａ  係合部、
２２７  解除部材、
２２７ｃ  突出部、
２２８  取付部材、
２２８ｃ  保護部、
２３１ａ、２３１ｂ、２３２ａ、２３２ｂ  溝部、
２５  押付け部、
２５３  蓋側押付け部、
２５３ａ  被係合部、
２５４  筐体側押付け部、
Ｔ１  （第１）チューブ、
Ｔ２  （第２）チューブ。
【図１】
2020116285.tif 000003
【図２】
2020116285.tif 000004
【図３】
2020116285.tif 000005
【図４】
2020116285.tif 000006
【図５】
2020116285.tif 000007
【図６】
2020116285.tif 000008
【図７】
2020116285.tif 000009
【図８】
2020116285.tif 000010
【図９】
2020116285.tif 000011
【図１０】
2020116285.tif 000012
【図１１】
2020116285.tif 000013
【図１２】
2020116285.tif 000014
【図１３】
2020116285.tif 000015
【図１４】
2020116285.tif 000016
【図１５】
2020116285.tif 000017
【図１６】
2020116285.tif 000018
【図１７】
2020116285.tif 000019
【図１８】
2020116285.tif 000020
【図１９】
2020116285.tif 000021